(57)【要約】  アクセスポイントの設置促進に寄与する通信システムを提供する。通信システムは、アクセスポイントと、集約装置と、管理装置と、を含む。アクセスポイントは、２以上の無線ネットワークそれぞれを識別する識別子をブロードキャスト送信し、識別子を用いた端末によるアクセスをアクセス情報として出力する。集約装置は、アクセス情報を記憶し、アクセスログを生成する。管理装置は、アクセスポイントがブロードキャスト送信する識別子の文字列を入力し、当該入力した文字列に基づきアクセスポイントがブロードキャスト送信する識別子を変更する。管理装置は、集約装置に対し、無線ネットワークに接続した端末が利用した識別子を含む利用識別子情報の出力を要求する。集約装置は、アクセスログから利用識別子情報を生成し、管理装置に出力する。管理装置は、取得した利用識別子情報に応じた情報を外部に出力する。
2016190414.tif 000002
【特許請求の範囲】
【請求項１】
少なくとも２以上の無線ネットワークそれぞれを識別する、少なくとも２以上の識別子をブロードキャスト送信し、前記識別子を用いた端末によるアクセスをアクセス情報として出力するアクセスポイントと、
前記アクセスポイントが出力する前記アクセス情報を記憶し、アクセスログを生成する、集約装置と、
前記アクセスポイントがブロードキャスト送信する識別子の文字列を入力し、前記入力した文字列に基づき前記アクセスポイントがブロードキャスト送信する識別子を変更する、管理装置と、
を含み、
前記管理装置は、前記集約装置に対し、前記アクセスポイントによる無線ネットワークに接続した端末が利用した前記識別子を含む利用識別子情報の出力を要求し、
前記集約装置は、前記アクセスログから前記利用識別子情報を生成し、前記管理装置に出力し、
前記管理装置は、取得した前記利用識別子情報に応じた情報を外部に出力する、通信システム。
【請求項２】
前記管理装置は、前記集約装置が前記利用識別子情報を生成する際の条件を指定して前記利用識別子情報の出力を要求する、請求項１の通信システム。
【請求項３】
前記集約装置は、前記管理装置から提供された条件に適合する前記アクセス情報を前記アクセスログから抽出し、抽出結果を前記利用識別子情報として前記管理装置に出力する、請求項２の通信システム。
【請求項４】
前記管理装置は、前記集約装置から取得した前記利用識別子情報に対する情報処理を実行し、前記情報処理の結果を外部に出力する、請求項１乃至３のいずれか一項に記載の通信システム。
【請求項５】
前記管理装置は、前記情報処理の結果をウェブサーバ又はディスプレイ装置に出力する、請求項４の通信システム。
【請求項６】
複数の前記アクセスポイントをさらに含み、
前記複数のアクセスポイントのそれぞれは前記集約装置に接続され、
前記集約装置は、前記複数のアクセスポイントそれぞれが出力する前記アクセス情報を記憶し、前記アクセスログを生成する、請求項１乃至５のいずれか一項に記載の通信システム。
【請求項７】
前記管理装置は、前記集約装置に対し、前記集約装置に接続された複数の前記アクセスポイントのうち、少なくとも２以上のアクセスポイントを指定して、前記指定された２以上のアクセスポイントによる無線ネットワークに接続した端末が利用した前記識別子を含む前記利用識別子情報の出力を要求する、請求項６の通信システム。
【請求項８】
前記アクセスポイントは、前記管理装置から入力した文字列を変更し、前記変更した文字列をブロードキャスト送信する、請求項１乃至７のいずれか一項に記載の通信システム。
【請求項９】
少なくとも２以上の無線ネットワークそれぞれを識別する、少なくとも２以上の識別子をブロードキャスト送信し、前記識別子を用いた端末によるアクセスをアクセス情報として出力するアクセスポイントと、
前記アクセスポイントが出力する前記アクセス情報を記憶し、アクセスログを生成する、集約装置と、に接続され、
前記アクセスポイントがブロードキャスト送信する識別子の文字列を入力し、前記入力した文字列に基づき前記アクセスポイントがブロードキャスト送信する識別子を変更すると共に、
前記集約装置に対し、前記アクセスポイントによる無線ネットワークに接続した端末が利用した前記識別子を含む利用識別子情報の出力を要求し、
前記集約装置が前記アクセスログから生成した前記利用識別子情報を取得し、取得した前記利用識別子情報に応じた情報を外部に出力する、管理装置。
【請求項１０】
少なくとも２以上の無線ネットワークそれぞれを識別する、少なくとも２以上の識別子をブロードキャスト送信し、前記識別子を用いた端末によるアクセスをアクセス情報として生成するアクセスポイントであって、
前記生成されたアクセス情報を記憶し、アクセスログを生成する手段と、
前記ブロードキャスト送信する識別子の文字列を入力し、前記入力した文字列に基づき前記ブロードキャスト送信する識別子を変更する手段と、
前記アクセスポイントによる無線ネットワークに接続した端末が利用した前記識別子を含む利用識別子情報を生成し、外部に出力する手段と、
を備える、アクセスポイント。
【請求項１１】
少なくとも２以上の無線ネットワークそれぞれを識別する、少なくとも２以上の識別子をブロードキャスト送信し、前記識別子を用いた端末によるアクセスをアクセス情報として出力するアクセスポイントと、
前記アクセスポイントが出力する前記アクセス情報を記憶し、アクセスログを生成する、集約装置と、
前記アクセスポイントがブロードキャスト送信する識別子の文字列を入力し、前記入力した文字列に基づき前記アクセスポイントがブロードキャスト送信する識別子を変更する、管理装置と、
を含む通信システムにおける情報収集方法であって、
前記管理装置が、前記集約装置に対し、前記アクセスポイントによる無線ネットワークに接続した端末が利用した前記識別子を含む利用識別子情報の出力を要求するステップと、
前記集約装置が、前記アクセスログから前記利用識別子情報を生成し、前記管理装置に出力するステップと、
前記管理装置が、取得した前記利用識別子情報に応じた情報を外部に出力するステップと、
を含む情報収集方法。
【請求項１２】
少なくとも２以上の無線ネットワークそれぞれを識別する、少なくとも２以上の識別子をブロードキャスト送信し、前記識別子を用いた端末によるアクセスをアクセス情報として出力するアクセスポイントと、
前記アクセスポイントが出力する前記アクセス情報を記憶し、アクセスログを生成する、集約装置と、に接続された管理装置を制御するコンピュータに実行させるプログラムであって、
前記アクセスポイントがブロードキャスト送信する識別子の文字列を入力し、前記入力した文字列に基づき前記アクセスポイントがブロードキャスト送信する識別子を変更する処理と、
前記集約装置に対し、前記アクセスポイントによる無線ネットワークに接続した端末が利用した前記識別子を含む利用識別子情報の出力を要求する処理と、
前記集約装置が前記アクセスログから生成した前記利用識別子情報を取得し、取得した前記利用識別子情報に応じた情報を外部に出力する処理と、
を実行させるプログラム。
【発明の詳細な説明】
【技術分野】
【０００１】
［関連出願についての記載］
本発明は、日本国特許出願：特願２０１５−１０８５２７号（２０１５年５月２８日出願）に基づくものであり、同出願の全記載内容は引用をもって本書に組み込み記載されているものとする。
本発明は、通信システム、管理装置、アクセスポイント、情報収集方法及びプログラムに関する。特に、無線ＬＡＮ（Local Area Network）に対応する通信システム、管理装置、アクセスポイント、情報収集方法及びプログラムに関する。
【背景技術】
【０００２】
近年、スマートフォンを初めとした無線端末の普及により、３Ｇ（3rd Generation）／ＬＴＥ（Long Term Evolution）等の回線網を利用するトラヒックが急増している。そのため、各通信事業者は、携帯電話網の設備だけでなく、無線ＬＡＮによるインターネット接続を実現するための設備増強を進めている。具体的には、駅や空港等にアクセスポイント（ＡＰ；Access Point）を設置し、通信事業者と契約をしているユーザに無線ＬＡＮによる無線接続を提供している。あるいは、コンビニエンスストア等の小売店がアクセスポイントを店内に設置する場合もあるし、地域活性化のために自治体がアクセスポイントを公共施設に設置する場合もある。【０００３】
特許文献１において、ＬＴＥ等の回線網にアクセスするインターフェイスと、無線ＬＡＮにアクセスするためのインターフェイスと、を備える移動体デバイス（無線端末）が使用されていることが説明されている（特許文献１の段落［０００２］等を参照）。【０００４】
特許文献２において、Ｐａｓｓｐｏｉｎｔ（「Ｗｉ−Ｆｉ  ＣＥＲＴＩＦＩＥＤ  ＰＡＳＳＰＯＩＮＴ」登録商標）と称される公衆無線ＬＡＮを利用したシステムが開示されている。特許文献２に記載されたとおり、契約している無線ＬＡＮサービスのＷｉ-Ｆｉエリアに入ると自動的にユーザ認証が行われ、無線接続が利用できるようになる。
【先行技術文献】
【特許文献】
【０００５】
【特許文献１】特表２０１５−５０２１２５号公報
【特許文献２】特開２０１５−５３５８２号公報
【発明の概要】
【発明が解決しようとする課題】
【０００６】
なお、上記先行技術文献の各開示を、本書に引用をもって繰り込むものとする。以下の分析は、本発明者らによってなされたものである。【０００７】
上述のように、通信事業者や小売店等がアクセスポイントの設置を行っている。その際、１台のアクセスポイントが複数の事業者により共有されることがある。例えば、図１７を参照すると、アクセスポイント１１は小売店に設置されたアクセスポイントであり、通信事業者と小売店を営業する事業者が共有している。【０００８】
アクセスポイント１１は、複数種類のＥＳＳＩＤ（Extended Service Set Identifier；以下、単にＳＳＩＤと表記する）に対応している。具体的には、アクセスポイント１１は、通信事業者と事前に契約したユーザに無線接続を提供するためのＳＳＩＤ＿１と、小売店に来店したユーザに無線接続を提供するためのＳＳＩＤ＿２と、に対応している。【０００９】
小売店を訪れたユーザは、自身の端末を操作して無線ＬＡＮ設定画面（Ｗｉ−Ｆｉスポット選択画面）を端末に表示させ、通信事業者による無線ＬＡＮを利用する場合にはＳＳＩＤ＿１を選択し、小売店による無線ＬＡＮを利用する場合にはＳＳＩＤ＿２を選択する。例えば、端末６１−１を所持するユーザがＳＳＩＤ＿１を選択した場合は、アクセスポイント１１から管理サーバ７１に向けてユーザ認証用のパケットが送信される。当該パケットを受信した管理サーバ７１は、ＳＳＩＤ＿１による無線ＬＡＮの利用を要求する端末６１−１が正当な権限を有するか否かの認証を行い、正当な権限を有する場合に端末６１−１からのパケットをインターネットに転送する。【００１０】
あるいは、端末６１−２を所持するユーザがＳＳＩＤ＿２を選択した場合には、アクセスポイント１１は、端末６１−２をＷＥＢサーバ３１に接続するように制御する。ＷＥＢサーバ３１は、端末６１−２をインターネットに接続する前に、端末６１−２を使用するユーザに関する情報収集（例えば、当該ユーザのメールアドレス、性別等）や利用規約への承諾を得るためのポータルサイトを実現する。ＷＥＢサーバ３１は、ユーザによる利用規約への承諾を条件に、端末６１−２からのパケットをインターネットに転送する。【００１１】
なお、通常、小売店等に設置されるアクセスポイントは特定の地域ごとに設置された集約装置２１に接続されている。集約装置２１は、アクセスポイント１１から送信されてくるパケットの振り分け（中継）やアクセスポイント１１に接続した端末の情報（端末の識別子等）を収集し、アクセスログとして記憶する。例えば、集約装置２１は、ＳＳＩＤ＿１を選択した端末６１−１からのパケットは管理サーバ７１に向けて送信し、ＳＳＩＤ＿２を選択した端末６１−２からのパケットはＷＥＢサーバ３１に向けて送信する。【００１２】
以上、図１７を用いて説明したように、小売店等にアクセスポイントが設置されることがある。しかしながら、小売店が期待するほどには、小売店による無線ＬＡＮの利用者が増加しないという問題がある。上述のように、小売店による無線ＬＡＮを利用しようとするユーザにはユーザ自身の個人情報や利用規約への承諾等が要求されるが、このような情報提供が障害となって小売店等による無線ＬＡＮの利用者が増加しないと考えられる。【００１３】
一方で、小売店は、ユーザにインターネット接続を提供する際に利用されるポータルサイト上にて、商品の宣伝や広告を行うことを見込んでいる。即ち、小売店等は、ユーザにインターネット接続を提供する際のポータルサイトを販促手段の１つと捉えており、自身の無線ＬＡＮ接続が利用されなければ、アクセスポイントを設置する必要性が低下する。このことは自治体が設置するアクセスポイントについても同様であり、自治体が設置したアクセスポイントを利用する際の事前準備が多くなるほど、その利用率は低下すると考えられる。その結果、自治体がアクセスポイントを設置しようという意欲が低下する。【００１４】
しかし、無線ＬＡＮによるアクセスポイントは災害時等に通信手段を確保する通信インフラという側面があり、アクセスポイントの設置が進まないことは公共的な観点からも問題となる。【００１５】
以上の状況を鑑み、本発明は、アクセスポイントの設置促進に寄与する通信システム、管理装置、アクセスポイント、情報収集方法及びプログラムを提供することを目的とする。
【課題を解決するための手段】
【００１６】
本発明の第１の視点によれば、少なくとも２以上の無線ネットワークそれぞれを識別する、少なくとも２以上の識別子をブロードキャスト送信し、前記識別子を用いた端末によるアクセスをアクセス情報として出力するアクセスポイントと、前記アクセスポイントが出力する前記アクセス情報を記憶し、アクセスログを生成する、集約装置と、前記アクセスポイントがブロードキャスト送信する識別子の文字列を入力し、前記入力した文字列に基づき前記アクセスポイントがブロードキャスト送信する識別子を変更する、管理装置と、を含み、前記管理装置は、前記集約装置に対し、前記アクセスポイントによる無線ネットワークに接続した端末が利用した前記識別子を含む利用識別子情報の出力を要求し、前記集約装置は、前記アクセスログから前記利用識別子情報を生成し、前記管理装置に出力し、前記管理装置は、取得した前記利用識別子情報に応じた情報を外部に出力する、通信システムが提供される。【００１７】
本発明の第２の視点によれば、少なくとも２以上の無線ネットワークそれぞれを識別する、少なくとも２以上の識別子をブロードキャスト送信し、前記識別子を用いた端末によるアクセスをアクセス情報として出力するアクセスポイントと、前記アクセスポイントが出力する前記アクセス情報を記憶し、アクセスログを生成する、集約装置と、に接続され、前記アクセスポイントがブロードキャスト送信する識別子の文字列を入力し、前記入力した文字列に基づき前記アクセスポイントがブロードキャスト送信する識別子を変更すると共に、前記集約装置に対し、前記アクセスポイントによる無線ネットワークに接続した端末が利用した前記識別子を含む利用識別子情報の出力を要求し、前記集約装置が前記アクセスログから生成した前記利用識別子情報を取得し、取得した前記利用識別子情報に応じた情報を外部に出力する、管理装置が提供される。【００１８】
本発明の第３の視点によれば、少なくとも２以上の無線ネットワークそれぞれを識別する、少なくとも２以上の識別子をブロードキャスト送信し、前記識別子を用いた端末によるアクセスをアクセス情報として生成するアクセスポイントであって、前記生成されたアクセス情報を記憶し、アクセスログを生成する手段と、前記ブロードキャスト送信する識別子の文字列を入力し、前記入力した文字列に基づき前記ブロードキャスト送信する識別子を変更する手段と、前記アクセスポイントによる無線ネットワークに接続した端末が利用した前記識別子を含む利用識別子情報を生成し、外部に出力する手段と、を備える、アクセスポイントが提供される。【００１９】
本発明の第４の視点によれば、少なくとも２以上の無線ネットワークそれぞれを識別する、少なくとも２以上の識別子をブロードキャスト送信し、前記識別子を用いた端末によるアクセスをアクセス情報として出力するアクセスポイントと、前記アクセスポイントが出力する前記アクセス情報を記憶し、アクセスログを生成する、集約装置と、前記アクセスポイントがブロードキャスト送信する識別子の文字列を入力し、前記入力した文字列に基づき前記アクセスポイントがブロードキャスト送信する識別子を変更する、管理装置と、を含む通信システムにおける情報収集方法であって、前記管理装置が、前記集約装置に対し、前記アクセスポイントによる無線ネットワークに接続した端末が利用した前記識別子を含む利用識別子情報の出力を要求するステップと、前記集約装置が、前記アクセスログから前記利用識別子情報を生成し、前記管理装置に出力するステップと、前記管理装置が、取得した前記利用識別子情報に応じた情報を外部に出力するステップと、を含む情報収集方法が提供される。【００２０】
本発明の第５の視点によれば、少なくとも２以上の無線ネットワークそれぞれを識別する、少なくとも２以上の識別子をブロードキャスト送信し、前記識別子を用いた端末によるアクセスをアクセス情報として出力するアクセスポイントと、前記アクセスポイントが出力する前記アクセス情報を記憶し、アクセスログを生成する、集約装置と、に接続された管理装置を制御するコンピュータに実行させるプログラムであって、前記アクセスポイントがブロードキャスト送信する識別子の文字列を入力し、前記入力した文字列に基づき前記アクセスポイントがブロードキャスト送信する識別子を変更する処理と、前記集約装置に対し、前記アクセスポイントによる無線ネットワークに接続した端末が利用した前記識別子を含む利用識別子情報の出力を要求する処理と、前記集約装置が前記アクセスログから生成した前記利用識別子情報を取得し、取得した前記利用識別子情報に応じた情報を外部に出力する処理と、を実行させるプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００２１】
本発明の各視点によれば、アクセスポイントの設置促進に寄与する通信システム、管理装置、アクセスポイント、情報収集方法及びプログラムが、提供される。
【図面の簡単な説明】
【００２２】
【図１】一実施形態の概要を説明するための図である。
【図２】第１の実施形態に係る通信システムの概略構成の一例を示す図である。
【図３】第１の実施形態に係るアクセスポイントの内部構成の一例を示す図である。
【図４】第１の実施形態に係る集約装置の内部構成の一例を示す図である。
【図５】アクセスログ管理テーブルの一例を示す図である。
【図６】第１の実施形態に係る管理装置の内部構成の一例を示す図である。
【図７】管理端末に表示されるＳＳＩＤ設定変更画面の一例を示す図である。
【図８】第１の実施形態に係る通信システムの動作の一例を示すシーケンス図である。
【図９】端末に表示されるＷｉ−Ｆｉスポット選択画面の一例を示す図である。
【図１０】第２の実施形態に係る管理装置の内部構成の一例を示す図である。
【図１１】第２の実施形態によるアンケート結果の一例を示す図である。
【図１２】第２の実施形態による無線ＬＡＮ接続数のグラフの一例を示す図である。
【図１３】第３の実施形態に係る管理装置の内部構成の一例を示す図である。
【図１４】第４の実施形態に係る通信システムの概略構成の一例を示す図である。
【図１５】第４の実施形態に係るアクセスポイントの内部構成の一例を示す図である。
【図１６】端末に表示されるＷｉ−Ｆｉスポット選択画面の一例を示す図である。
【図１７】通信システムの構成の一例を示す図である。
【発明を実施するための形態】
【００２３】
初めに、一実施形態の概要について説明する。なお、この概要に付記した図面参照符号は、理解を助けるための一例として各要素に便宜上付記したものであり、この概要の記載はなんらの限定を意図するものではない。
【００２４】
一実施形態に係る通信システムは、アクセスポイント１０１と、集約装置１０２と、管理装置１０３と、を含む（図１参照）。アクセスポイント１０１は、少なくとも２以上の無線ネットワークそれぞれを識別する、少なくとも２以上の識別子をブロードキャスト送信し、識別子を用いた端末によるアクセスをアクセス情報として出力する。集約装置１０２は、アクセスポイント１０１が出力するアクセス情報を記憶し、アクセスログを生成する。管理装置１０３は、アクセスポイント１０１がブロードキャスト送信する識別子の文字列を入力し、当該入力した文字列に基づきアクセスポイント１０１がブロードキャスト送信する識別子を変更する。管理装置１０３は、集約装置１０２に対し、アクセスポイント１０１による無線ネットワークに接続した端末が利用した識別子を含む利用識別子情報の出力を要求する。集約装置１０２は、アクセスログから利用識別子情報を生成し、管理装置１０３に出力する。管理装置１０３は、取得した利用識別子情報に応じた情報を外部に出力する。
【００２５】
アクセスポイント１０１が送信する識別子（具体的には、ＥＳＳＩＤ）は、管理装置１０３から変更可能に構成されている。即ち、アクセスポイント１０１からブロードキャスト送信される識別子の文字列は、小売店のオーナ等が任意の文字列に変更可能である。そのため、小売店のオーナは、当該識別子の文字列に小売店のオーナが知りたい情報の選択肢を設定し、ユーザが選択した選択肢（識別子）に関する情報（利用識別子情報）を管理装置１０３、集約装置１０２から取得するといった運用が行える。このように、小売店のオーナは、アクセスポイント１０１を利用した簡易的なアンケート（情報収集）が実施できる。その結果、小売店のオーナは、小売店の経営に有益と思われる情報収集を目的としたアンケートを実施でき、そのようなアンケートシステムが構成可能なアクセスポイント１０１を積極的に導入（設置）しようという動機となる。
【００２６】
以下に具体的な実施の形態について、図面を参照してさらに詳しく説明する。なお、各実施形態において同一構成要素には同一の符号を付し、その説明を省略する。
【００２７】
［第１の実施形態］
第１の実施形態について、図面を用いてより詳細に説明する。
【００２８】
図２は、第１の実施形態に係る通信システムの概略構成の一例を示す図である。図２を参照すると、通信システムには、複数のアクセスポイント１０−１〜１０−ｎ（但し、ｎは正の整数。以下、同じ）と、集約装置２０と、ＷＥＢサーバ３０と、管理装置４０と、管理端末５０と、を含んで構成される。なお、以降の説明において、アクセスポイント１０−１〜１０−ｎを区別する特段の理由がない場合には、単に「アクセスポイント１０」と表記する。
【００２９】
［システム構成概略］
アクセスポイント１０は、ＩＥＥＥ（The Institute of Electrical and Electronics Engineers, Inc）８０２．１１に準拠した無線ネットワーク装置である。アクセスポイント１０は、マルチＳＳＩＤに対応した無線ネットワーク中継装置であり、各ＳＳＩＤは変更可能に構成されている。即ち、アクセスポイント１０のそれぞれは、少なくとも２以上の無線ネットワークそれぞれを識別する、識別子（ＳＳＩＤ、より正しくはＥＳＳＩＤ）であって変更可能な識別子をブロードキャスト送信する。なお、各アクセスポイント１０は、ＳＳＩＤを用いた端末によるアクセスの記録をアクセス情報として集約装置２０に出力する。ここで、後に図５を用いて説明するように、アクセス情報には、少なくとも端末識別子と接続ＳＳＩＤが含まれる。
【００３０】
集約装置２０は、複数のアクセスポイント１０と接続された装置であり、各アクセスポイント１０とインターネット上のサーバ（図示せず）等の通信を中継する装置である。また、集約装置２０は、アクセスポイント１０を利用した端末によるアクセス情報を記憶し、アクセスログを生成、管理する装置である。集約装置２０は、管理装置４０からの要求に応じて、アクセスポイント１０により無線ネットワークに接続した端末が利用したＳＳＩＤに関する情報を含む利用識別子情報を生成し、管理装置４０に出力する。
【００３１】
ＷＥＢサーバ３０は、ウェブサイトを提供するサーバである。ＷＥＢサーバ３０は、例えば、小売店がユーザにインターネット接続を提供する際の利用規約の承諾を得たり、当該ユーザに対して広告を行ったりするためのポータルサイトを実現する。
【００３２】
管理装置４０は、アクセスポイント１０及び集約装置２０を管理し、制御する装置である。管理装置４０は、アクセスポイント１０がブロードキャスト送信するＳＳＩＤの文字列を外部端末（管理端末５０）から入力し、当該入力した文字列に基づきアクセスポイント１０がブロードキャスト送信する識別子を変更する機能を有する。また、管理装置４０は、集約装置２０に対して、利用識別子情報の出力を要求し、集約装置２０から取得した利用識別子情報に応じた情報を外部に出力する機能を有する。
【００３３】
管理端末５０は、例えば、アクセスポイント１０が設置された小売店のオーナや担当者がアクセスポイント１０から送信するＳＳＩＤを変更するための装置である。つまり、ユーザ（小売店のオーナ等）は管理端末５０を操作して、アクセスポイント１０から送信するＳＳＩＤの文字列を管理装置４０に入力する。管理装置４０は、上記文字列の入力を外部端末（管理端末５０）から受け付け、当該文字列に基づきアクセスポイント１０がブロードキャスト送信する識別子を変更する。また、管理端末５０は、集約装置２０から得られる利用識別子情報又は利用識別子情報に基づき生成された情報を確認するための装置でもある。
【００３４】
端末６０−１、６０−２は、無線ＬＡＮ（公衆無線ＬＡＮ）による無線接続に対応したスマートフォン等の無線端末である。
【００３５】
なお、図２において図示を省略しているが、アクセスポイント１０−１だけでなく、他のアクセスポイントも管理装置４０による管理対象である。
【００３６】
［アクセスポイントの構成］
図３は、アクセスポイント１０の内部構成の一例を示す図である。図３を参照すると、アクセスポイント１０は、通信インターフェイス２０１と、転送部２０２と、制御部２０３と、記憶部２０４と、を含んで構成される。なお、アクセスポイント１０を構成する各部は、内部バスにより接続され、相互に通信可能（データの送受信が可能）に構成されている。
【００３７】
通信インターフェイス２０１は、アクセスポイント１０と他の装置（無線端末、集約装置２０、管理装置４０）との間のインターフェイスを提供する手段である。通信インターフェイス２０１は、無線インターフェイス（ＩＦ；Interface）部２１１と、有線インターフェイス部２１２と、を含む。
【００３８】
無線インターフェイス部２１１は、アンテナ（図示せず）を介して受信した電波の復調及び受信データの生成と、アンテナを介して送信する電波の生成を行う手段である。無線インターフェイス部２１１は、受信データを転送部２０２に引き渡す。また、無線インターフェイス部２１１は、送信データを、転送部２０２を介して制御部２０３や有線インターフェイス部２１２から取得する。
【００３９】
無線インターフェイス部２１１は、２つのＳＳＩＤによる無線ネットワークを形成可能であり、各ＳＳＩＤが設定されたビーコンフレームを所定の間隔にてブロードキャスト送信する機能を有する。無線インターフェイス部２１１が送信するビーコンフレームを受信した端末は、ユーザ操作により無線ネットワークを利用する際のＳＳＩＤを選択し、当該選択されたＳＳＩＤを含むフレームをアクセスポイント１０に送信する。無線インターフェイス部２１１は、当該フレームを受信し、制御部２０３に引き渡す。
【００４０】
なお、第１の実施形態では、アクセスポイント１０は２つのＳＳＩＤによる無線ネットワークを形成するものとするが、アクセスポイント１０がサポートするＳＳＩＤの数を２に限定する趣旨ではない。アクセスポイント１０は３以上のＳＳＩＤをサポートしていてもよい。
【００４１】
有線インターフェイス部２１２は、アクセスポイント１０と他の装置との間の有線接続を実現する手段である。例えば、有線インターフェイス部２１２は、アクセスポイント１０と集約装置２０の間の回線接続を仲介する。あるいは、アクセスポイント１０と管理装置４０が専用回線やインターネットを介して有線接続されている場合には、有線インターフェイス部２１２は、管理装置４０に対するインターフェイスとなる。なお、アクセスポイント１０と管理装置４０が無線接続されている場合には、無線インターフェイス部２１１が管理装置４０に対するインターフェイスとなる。
【００４２】
通信インターフェイス２０１は、管理装置４０から取得したデータ（例えば、後述するＳＳＩＤ設定変更指示）を制御部２０３に引き渡す。
【００４３】
転送部２０２は、通信インターフェイス２０１から取得したデータ（パケット）の転送を実現する手段である。例えば、転送部２０２は、無線インターフェイス部２１１から取得したパケットがインターネット上のサーバ等に向けたパケットである場合には、当該パケットを有線インターフェイス部２１２に転送する。又は、転送部２０２は、有線インターフェイス部２１２から取得したパケットがアクセスポイント１０の配下の端末に向けたパケットである場合には、当該パケットを無線インターフェイス部２１１に転送する。あるいは、転送部２０２は、取得したパケットが自装置（アクセスポイント１０）に向けたパケットである場合には、当該パケットを制御部２０３に転送する。
【００４４】
制御部２０３は、アクセスポイント１０の全体を制御する。また、制御部２０３は、無線インターフェイス部２１１からブロードキャスト送信するＳＳＩＤを無線インターフェイス部２１１に設定する手段（ＳＳＩＤ設定部２２１）を含む。ＳＳＩＤ設定部２２１は、管理装置４０からＳＳＩＤの設定変更に係る指示（ＳＳＩＤ設定変更指示）を受信した場合に、無線インターフェイス部２１１からブロードキャスト送信するＳＳＩＤの内容（文字列）を変更する。
【００４５】
制御部２０３は、アクセスポイント１０による無線ネットワークに収容する端末にＩＰ（Internet Protocol）アドレスを割り当て、選択されたＳＳＩＤによる無線ネットワークに当該端末を収容するための制御（例えば、端末の認証、アソシエーション）を行う無線接続部２２２を含む。
【００４６】
また、制御部２０３は、アクセスポイント１０による無線ネットワークに収容された端末にインターネット接続を提供するための処理を行う接続処理部２２３を含む。具体的には、接続処理部２２３は、端末が選択した接続ＳＳＩＤと、当該端末を識別する情報（端末識別子；例えば、端末のＭＡＣ（Media Access Control）アドレス）と、を含むデータをアクセス情報として集約装置２０に送信する。
【００４７】
また、接続処理部２２３は、無線ネットワークに収容された端末のウェブブラウザに、ＷＥＢサーバ３０によるポータルサイトに係る画面を表示させるための情報（例えば、ＷＥＢサーバ３０のＵＲＬ（Uniform Resource Locator））を生成し、端末に送信する。
【００４８】
記憶部２０４は、制御部２０３等が動作するために必要なデータ等を記憶する手段である。
【００４９】
［集約装置の構成］
図４は、集約装置２０の内部構成の一例を示す図である。図４を参照すると、集約装置２０は、通信制御部３０１と、アクセスログ管理部３０２と、記憶部３０３と、を含んで構成される。なお、集約装置２０を構成する各部は、内部バスにより接続されており、相互に通信が可能である。
【００５０】
通信制御部３０１は、集約装置２０と他の装置（アクセスポイント１０、インターネット上のルータ等の装置、管理装置４０）との間の通信を制御する手段である。具体的には、通信制御部３０１は、アクセスポイント１０と集約装置２０の間を接続する回線側のインターフェイス、集約装置２０とインターネット間の回線側のインターフェイス、集約装置２０と管理装置４０間のインターフェイスをそれぞれ含む。
【００５１】
アクセスログ管理部３０２は、アクセスポイント１０の接続処理部２２３が送信するアクセス情報を時系列に記憶し、アクセスログを生成、管理する手段である。具体的には、アクセスログ管理部３０２は、アクセスポイント１０からアクセス情報を受信するたびに、記憶部３０３に構築されたアクセスログ管理テーブルにエントリを追加する。
【００５２】
図５は、記憶部３０３に構築されたアクセスログ管理テーブルの一例を示す図である。図５を参照すると、アクセスログ管理テーブルには、少なくとも、アクセス情報を取得した日時、アクセス情報の送信元であるアクセスポイント１０の識別情報、アクセス情報から抽出した端末識別子及び接続ＳＳＩＤに関するフィールドが含まれる。なお、アクセスログ管理部３０２は、例えば、アクセスポイント１０からアクセス情報に係るパケットを取得した日時をアクセスログ管理テーブルに登録する日時として扱い、アクセス情報に係るパケットに含まれるアクセスポイント１０のアドレス（ＩＰアドレス、ＭＡＣアドレス）をアクセスログ管理テーブルに登録する識別情報として扱う。
【００５３】
なお、アクセスポイント１０から集約装置２０に送信するアクセス情報には、端末識別子及び接続ＳＳＩＤだけでなく、アクセスポイント１０が端末を無線ネットワークに収容した日時及びアクセスポイント１０自身の識別子（ＩＰアドレス等）を含ませてもよい。この場合、集約装置２０は、取得したアクセス情報を時系列に格納することで、図５に示すアクセスログ管理テーブルを構築できる。
【００５４】
図５を参照すると、２０１５年１月１日において、２つの異なる端末からアクセスポイント１０−１に「Ｗｏｍｅｎ？」のＳＳＩＤを用いたアクセスが発生したことが分かる。同様に、２０１５年１月１日において、アクセスポイント１０−１に「Ｍｅｎ？」のＳＳＩＤを用いたアクセスが発生したことが分かる。
【００５５】
アクセスログ管理部３０２は、管理装置４０から利用識別子情報の出力に係る要求（以下、利用識別子情報出力要求と表記する）を受け付けると、必要な情報（アクセス情報）を抽出して管理装置４０に提供する（利用識別子情報を出力する）。
【００５６】
具体的には、管理装置４０は、集約装置２０による利用識別子情報の生成条件を指定して、利用識別子情報の出力を要求する。より詳細には、管理装置４０は、利用識別子情報に含ませる日時に関する範囲やアクセスポイント１０を指定して、利用識別子情報の出力を要求する。例えば、管理装置４０から、２０１５年１月１日が利用識別子情報に含ませる日時として指定され、且つ、アクセスポイント１０−１に関する利用識別子情報の出力要求を受け付けた場合には、アクセスログ管理部３０２は、当該条件に適合するアクセス情報（図５に示す１行目〜３行目のアクセス情報）をアクセスログ管理テーブルから抽出し、当該抽出したデータを利用識別子情報として管理装置４０に出力する。
【００５７】
［管理装置の構成］
図６は、管理装置４０の内部構成の一例を示す図である。図６を参照すると、管理装置４０は、通信制御部４０１と、制御部４０２と、記憶部４０３と、を含んで構成される。なお、管理装置４０を構成する各部は、内部バスにより接続されており、相互に通信が可能である。
【００５８】
通信制御部４０１は、アクセスポイント１０、集約装置２０及び管理端末５０との間の通信を制御する手段である。通信制御部４０１は、管理端末５０等から取得したデータを制御部４０２に引き渡す。
【００５９】
制御部４０２は、ＳＳＩＤ変更部４１１と、利用識別子情報管理部４１２と、を含む。
【００６０】
ＳＳＩＤ変更部４１１は、管理端末５０から、ＳＳＩＤの設定変更に係る要求を受け付けると、ＳＳＩＤを変更するための画面データを作成し、管理端末５０に出力する。例えば、ＳＳＩＤ変更部４１１は、図７に示すような画面データを生成し、管理端末５０に出力する。ユーザは管理端末５０を操作して、ブロードキャスト送信するＳＳＩＤを変更したいアクセスポイント１０を選択する。同時に、ユーザは、当該選択したアクセスポイント１０からブロードキャスト送信するＳＳＩＤの文字列を管理装置４０に入力する。なお、ＳＳＩＤとして設定可能な文字列の範囲は、半角英数字で３２文字（かな文字等の場合は１６文字）である。
【００６１】
図７に示すような画面により入力されたデータ（ＳＳＩＤの文字列）を取得したＳＳＩＤ変更部４１１は、選択されたアクセスポイント１０に向けて入力されたデータ（変更後のＳＳＩＤに係る文字列）を含むＳＳＩＤ設定変更指示を送信する。即ち、ＳＳＩＤ変更部４１１は、アクセスポイント１０がブロードキャスト送信するＳＳＩＤの文字列を外部端末である管理端末５０から入力し、当該入力した文字列に基づきアクセスポイント１０がブロードキャスト送信するＳＳＩＤを変更する。
【００６２】
利用識別子情報管理部４１２は、管理端末５０から（アクセスポイント１０の管理者等から）集約装置２０に蓄積されたアクセスログのうち、どのような条件に合致するアクセスログを利用識別子情報として出力させるかに関する情報を入力する（利用識別子情報出力指示の入力）。その際、管理端末５０から、利用識別子情報に含ませる具体的な日時やアクセスポイント１０が指定される。利用識別子情報管理部４１２は、上記指定された範囲を集約装置２０が利用識別子情報を生成する際の条件として集約装置２０に提供しつつ、利用識別子情報の出力を集約装置２０に要求する。また、利用識別子情報管理部４１２は、集約装置２０からの上記利用識別子情報出力要求に対する応答を取得すると、当該応答を管理端末５０に出力する。
【００６３】
記憶部４０３は、制御部４０２等の動作に必要なデータ等を記憶する手段である。
【００６４】
［システム動作］
次に、図面を参照しつつ、第１の実施形態に係る通信システムの動作を説明する。なお、第１の実施形態では、アクセスポイント１０−１が小売店に設置され、当該小売店のオーナ（又は、担当者）が、アクセスポイント１０−１からブロードキャスト送信されるＳＳＩＤの文字列を変更する場合について説明する。
【００６５】
図８は、第１の実施形態に係る通信システムの動作の一例を示すシーケンス図である。初めに、アクセスポイント１０−１が設置された小売店のオーナは、アクセスポイント１０−１から送信するＳＳＩＤの文字列を、管理端末５０を使って管理装置４０に入力する（ステップＳ１０１）。
【００６６】
例えば、小売店のオーナは、自分の小売店に訪れる顧客の性別に関する情報を知りたいと考えた場合には、アクセスポイント１０−１に設定可能な２つのＳＳＩＤのうちの１つのＳＳＩＤに「Ｗｏｍｅｎ？」と設定する。さらに、オーナは、他のＳＳＩＤに「Ｍｅｎ？」と設定する。なお、小売店のオーナは、無線ＬＡＮによるインターネット接続が可能であること、及び、アクセスポイントの選択の際、アンケート形式のアクセスポイントの名称が表示されるので、該当するアクセスポイントの名称を選択して欲しい旨の告知等をしておくのが望ましい。あるいは、文字数に余裕がある場合には、オーナは、ＳＳＩＤを利用したアンケートであることを明示するように「アンケート；Ｗｏｍｅｎ？」、「アンケート；Ｍｅｎ？」のような文字列を入力し、これらのＳＳＩＤによりアンケートが行われる旨をユーザに通知してもよい。
【００６７】
管理装置４０は、管理端末５０からの当該ＳＳＩＤの設定変更を、アクセスポイント１０−１に反映する。具体的には、管理装置４０は、ステップＳ１０１にて入力された文字列にＳＳＩＤを変更するようにアクセスポイント１０−１に対して指示する（ＳＳＩＤ設定変更指示；ステップＳ１０２）。
【００６８】
アクセスポイント１０−１のＳＳＩＤ設定部２２１は、ＳＳＩＤ設定変更指示に基づき、無線インターフェイス部２１１に、「Ｗｏｍｅｎ？」と「Ｍｅｎ？」に係る文字列をブロードキャスト送信するＳＳＩＤとして設定する（ステップＳ１０３）。
【００６９】
その後、アクセスポイント１０−１は、「Ｗｏｍｅｎ？」という文字列からなるＳＳＩＤと「Ｍｅｎ？」という文字列からなるＳＳＩＤを含むビーコンフレームを定期的にブロードキャスト送信する（ステップＳ１０４）。
【００７０】
このような状況の下、例えば、端末６０−１を所有するユーザが、端末６０−１のインターネット接続を希望した場合、ユーザは端末６０−１を操作してＷｉ−Ｆｉスポット選択画面（公衆無線ＬＡＮのアクセスポイント選択画面）を表示する。具体的には、端末６０−１には、図９に示すような画面が表示される。なお、図９に示す４つの接続ポイント（より正しくは、アクセスポイントが送信するＳＳＩＤ）のうち、上の２つの接続ポイントはアクセスポイント１０−１が送信する２つのＳＳＩＤによるものである。また、図９に示す４つの接続ポイントのうち、下の２つの接続ポイントは、通信事業者によるアクセスポイント（図示せず）が送信するＳＳＩＤによるものである。
【００７１】
ここで、第１の実施形態では、「Ｗｏｍｅｎ？」と「Ｍｅｎ？」というＳＳＩＤ（アンケートの選択肢）に対し、ユーザが女性であれば「Ｗｏｍｅｎ？」を選び、男性であれば「Ｍｅｎ？」を選ぶことを前提としている。つまり、ユーザが男性の場合には、図９に示す４つの接続ポイントのうち１番上の接続ポイント（ＳＳＩＤが「Ｍｅｎ？」の接続ポイント）を選択すると思われる。なお、端末がタッチパネルによる操作に対応している場合には、ユーザは、ＳＳＩＤの表示エリアに触れることでＳＳＩＤを選択する。あるいは、ユーザは、本体等に設けられたハードウェアキー（十字キー、選択キー等）を操作し、希望するＳＳＩＤを選択する。
【００７２】
ユーザによる操作を受け付けた端末６０−１は、選択されたＳＳＩＤ（上記の例では「Ｍｅｎ？」に係るＳＳＩＤ）を含むフレームをアクセスポイント１０−１に送信する（ＳＳＩＤの選択；ステップＳ１０５）。なお、ＳＳＩＤを用いたアンケートに回答する意思のないユーザは、通信事業者によるアクセスポイント（図９の下から２つのアクセスポイントのいずれか）を選択する、あるいは、無線ＬＡＮへの接続を断念する。
【００７３】
アクセスポイント１０−１は、上記フレームを受信すると、端末６０−１にＩＰアドレスを割り振り、ＳＳＩＤが「Ｍｅｎ？」による無線ネットワークに端末６０−１を収容する。また、アクセスポイント１０−１は、端末６０−１に関するアクセス情報を集約装置２０に送信する（ステップＳ１０６）
【００７４】
集約装置２０は、アクセスポイント１０−１から取得したアクセス情報をアクセスログ管理テーブルに反映する（アクセスログ管理テーブルの更新；ステップＳ１０７）。
【００７５】
小売店のオーナは、管理端末５０を操作して、アクセスポイント１０−１における利用識別子情報の出力指示を管理装置４０に行う（ステップＳ２０１）。
【００７６】
当該指示を受けた管理装置４０は、利用識別子情報に含ませる条件を指定して利用識別子情報出力要求を集約装置２０に対して行う（ステップＳ２０２）。
【００７７】
当該出力要求を受けた集約装置２０は、指示に基づき必要なアクセス情報をアクセスログから抽出し、その結果（利用識別子情報）を管理装置４０に送信する（ステップＳ２０３）。
【００７８】
管理装置４０は、取得した利用識別子情報を管理端末５０に出力する。小売店のオーナは、管理端末５０を操作して利用識別子情報を確認する（ステップＳ２０４）。
【００７９】
このようにして、アクセスポイント１０−１が設置された小売店のオーナは、知りたいこと（例えば、小売店に訪れる顧客の性別に関する情報）を、集約装置２０から得られる情報（利用識別子情報）を解析することで得ることができる。
【００８０】
以上のように、第１の実施形態に係る通信システムでは、各アクセスポイント１０は、自装置による無線ネットワークに端末を収容する際に利用されるＳＳＩＤを含むアクセス情報を集約装置２０に出力する。集約装置２０は、各アクセスポイント１０が出力するアクセス情報を蓄積し、アクセスポイント１０を利用した端末のネットワーク接続に関するアクセスログを生成する。管理装置４０は、集約装置２０に対して、どのようなＳＳＩＤが利用されているかを確認するための利用識別子情報の出力を要求し、その結果を、管理端末５０を介して小売店のオーナに提供する。
【００８１】
ここで、第１の実施形態に係る通信システムでは、アクセスポイント１０からブロードキャスト送信されるＳＳＩＤの文字列は、小売店のオーナが任意の文字列に変更可能である。そのため、ＳＳＩＤの文字列に、小売店のオーナが知りたい情報の選択肢を設定し、ＳＳＩＤの利用結果（利用識別子情報）を集約装置２０、管理装置４０から取得することで、簡易的なアンケートが実施できる。その結果、小売店のオーナは、小売店の経営に有益と思われる情報の入手が可能であり、上記アンケートシステムが提供可能なアクセスポイントを積極的に導入しようという動機となり得る。即ち、アクセスポイントの設置が促進される。
【００８２】
また、第１の実施形態に係る通信システム（簡易アンケートシステム）では、ユーザにインターネット接続を提供する際、当該ユーザの個人情報（例えば、メールアドレス等）の入力を求めない。即ち、ユーザは、簡単なアンケートに回答するだけで、インターネット接続が可能であり、小売店等に設置されたアクセスポイントを利用する際の抵抗感は少ないものと考えられる。換言するならば、ユーザは簡単なアンケートに回答することで、インターネットに接続できるという利益が享受できるため、小売店等に設置されたアクセスポイントを積極的に利用するようになる。即ち、小売店等に設置されたアクセスポイントの利用が促進される。
【００８３】
［第２の実施形態］
続いて、第２の実施形態について図面を参照して詳細に説明する。
【００８４】
図１０は、第２の実施形態に係る管理装置４０ａの内部構成の一例を示す図である。第１の実施形態に係る管理装置４０と管理装置４０ａの相違点は、制御部４０２にアンケート結果出力部４１３が含まれる点である。
【００８５】
第１の実施形態に係る管理装置４０は、管理端末５０から指示された範囲の利用識別子情報を集約装置２０から取得し、当該取得した利用識別子情報を管理端末５０に出力するに留まっている。即ち、利用識別子情報の分析、解析はユーザ（小売店のオーナ等）側に委ねられている。第２の実施形態に係る管理装置４０ａでは、管理装置４０の機能に加えて、利用識別子情報に対して情報処理を実行し、その結果をアンケート結果として出力する機能（アンケート結果出力部４１３）を有する。
【００８６】
例えば、アンケート結果出力部４１３は、利用識別子情報管理部４１２が取得した利用識別子情報から、日ごとの各ＳＳＩＤによる接続数を計算し、その結果をアンケート結果として管理端末５０に出力（管理端末５０の画面に出力）する。例えば、図１１を参照すると、２０１５年１月１日以降の「Ｗｏｍｅｎ？」と「Ｍｅｎ？」それぞれのＳＳＩＤによる無線ＬＡＮ接続を行った数がアンケート結果として管理端末５０に出力される。このようなアンケート結果を確認することで、小売店のオーナは、自身の店舗には女性よりも男性が多く訪れているという事実（傾向）を容易に把握できる。その結果、オーナは、男性向けの商品を拡充する等の対応を検討することができる。
【００８７】
あるいは、アンケート結果出力部４１３は、時間帯ごとに各ＳＳＩＤによる接続数を集計し、集計結果をグラフとして管理端末５０に出力してもよい。例えば、図１２を参照すると、１日の時間帯ごとの「Ｗｏｍｅｎ？」と「Ｍｅｎ？」それぞれのＳＳＩＤによる無線ＬＡＮ接続数のグラフ（アンケート結果）が管理端末５０に出力される。このようなグラフに接することで、小売店のオーナは、時間帯ごとの来客傾向を容易に把握することができる。具体的には、女性客数のピークは正午近辺にあり、男性客数のピークは正午近辺と夕方の２つにあることが分かる。小売店のオーナは、このようなアンケート結果を、小売店の経営に活用することができる。
【００８８】
なお、管理装置４０ａは、ユーザ（小売店のオーナ）がどのような情報処理（例えば、日ごとのＳＳＩＤ接続数の集計、時間帯ごとのＳＳＩＤの集計）を所望するかに関する情報入力を可能に構成されているのが望ましい。例えば、管理装置４０ａは、実行可能な情報処理のリストを管理端末５０に表示し、ユーザが管理装置４０ａに実行させる情報処理を選択してもよい。あるいは、管理装置４０ａに実行させる処理を記載したファイル（実行ファイル、バッチファイル）を、管理端末５０から管理装置４０ａに入力してもよい。
【００８９】
以上、第２の実施形態に係る管理装置４０ａは、集約装置２０から取得した利用識別子情報に対して情報処理を実行し、アンケート結果として生成し、その結果を、管理端末５０を介してユーザ（小売店のオーナ等）に提供する。ユーザは、ＳＳＩＤを用いたアンケート結果を自ら解析することなく、有益な情報を容易に取得することができる。
【００９０】
［第３の実施形態］
続いて、第３の実施形態について図面を参照して詳細に説明する。
【００９１】
第１及び第２の実施形態では、集約装置２０が生成した利用識別子情報は、アクセスポイント１０を設置した小売店のオーナ等が参照するものとして説明した。しかし、ＳＳＩＤによる接続結果（アンケート結果）を端末のユーザ（小売店の顧客）に提示してもよい。
【００９２】
図１３は、第３の実施形態に係る管理装置４０ｂの内部構成の一例を示す図である。第２の実施形態に係る管理装置４０ａと管理装置４０ｂの相違点は、制御部４０２に含まれるアンケート結果出力部４１３ａの機能が異なる点である。
【００９３】
第３の実施形態に係るアンケート結果出力部４１３ａは、集約装置２０から定期的に利用識別子情報を取得する。その後、アンケート結果出力部４１３ａは、取得した利用識別子情報からアンケート結果を生成し、その結果をユーザの端末から確認できるウェブサイト（例えば、ＷＥＢサーバ３０によるポータルサイト）や店内に設置された大型のディスプレイ装置に表示（出力）する。
【００９４】
例えば、アクセスポイント１０−１が設置された小売店の近くにて、２つのチームが試合をする大きなスポーツイベントが開催され、小売店のオーナは、「いずれのチームが勝利するか」に関するアンケートをＳＳＩＤにより実施する場合を考える。
【００９５】
この場合、小売店のオーナは、「Ａチームが勝つ？」と「Ｂチームが勝つ？」という２種類のＳＳＩＤをアクセスポイント１０−１に設定する。当該２つのＳＳＩＤによるアクセスは、集約装置２０に蓄積される。管理装置４０ｂのアンケート結果出力部４１３ａは、集約装置２０上のアクセスログを定期的に取得し、各ＳＳＩＤによる接続の累計値を計算する。その後、アンケート結果出力部４１３ａは、計算結果をＷＥＢサーバ３０やディスプレイ装置に出力する。このようにして、小売店を訪れたユーザは、他のユーザの勝敗予想を知ることができる。
【００９６】
以上、第３の実施形態に係る管理装置４０ｂは、集約装置２０に記憶されたアクセスログを定期的に取得し、取得したアクセスログからユーザに提示する情報（アンケート結果）を生成する。ユーザは自身が参加したアンケートの結果をリアルタイムで知ることができるため、小売店等が設置したアクセスポイント１０を利用しようとする動機となり得る。即ち、アクセスポイントの利用がより一層促進される。
【００９７】
［第４の実施形態］
続いて、第４の実施形態について図面を参照して詳細に説明する。
【００９８】
第１〜第３の実施形態では、管理装置４０がアクセスポイント１０を管理、制御する形態について説明した。第４の実施形態では、アクセスポイント１０に管理装置４０の機能が含まれる場合について説明する。
【００９９】
図１４は、第４の実施形態に係る通信システムの概略構成の一例を示す図である。第１の実施形態に係る通信システム（図２参照）との相違点は、管理装置４０が存在しない点と、集約装置２０の一部機能をアクセスポイント１０にて実現する点である。第４の実施形態では、管理端末５０からアクセスポイント１０ａに対して直接ＳＳＩＤの変更を指示し、アクセスポイント１０ａから利用識別子情報を取得する。
【０１００】
第４の実施形態では、アクセスポイント１０ａはアクセス情報を集約装置２０ａに送信せず、自身の内部にて蓄積、記憶することで第１の実施形態にて説明したアクセスログを生成する。また、アクセスポイント１０ａは、生成したアクセスログを用いて利用識別子情報やアンケート結果を生成し、管理端末５０に提供する。
【０１０１】
図１５は、第４の実施形態に係るアクセスポイント１０ａの内部構成の一例を示す図である。第１の実施形態に係るアクセスポイント１０とアクセスポイント１０ａの相違点は、制御部２０３にアクセスログ管理部２２４、ＳＳＩＤ変更部２２５及び利用識別子情報管理部２２６が含まれる点である。なお、アクセスログ管理部２２４の機能、動作は集約装置２０に含まれるアクセスログ管理部３０２と実質的に同一であるため、その詳細に関する説明を省略する。また、ＳＳＩＤ変更部２２５の機能、動作は管理装置４０に含まれるＳＳＩＤ変更部４１１と実質的に同一であるため、その詳細に関する説明を省略する。さらに、利用識別子情報管理部２２６に関しても同様であり、利用識別子情報管理部４１２の機能、動作と実質的に同一であるため、その説明を省略する。
【０１０２】
アクセスポイント１０ａは、ＳＳＩＤ変更部２２５によりユーザ（小売店のオーナ等）からのＳＳＩＤ変更指示を受け付ける。当該受け付けた変更指示は、ＳＳＩＤ設定部２２１により処理され、無線インターフェイス部２１１により設定された文字列のＳＳＩＤがブロードキャスト送信される。その後、無線端末のユーザが選択したＳＳＩＤに関する情報（アクセス情報）は記憶部２０４に蓄積され、アクセスログとして管理される。その後、小売店のオーナ等が、利用識別子情報の出力指示をアクセスポイント１０ａに行うと、利用識別子情報管理部２２６がアクセスログ管理部２２４に対して、利用識別子情報の生成指示を行い、アクセスログ管理部２２４が必要なアクセス情報を抽出する。利用識別子情報管理部２２６は、得られた利用識別子情報を管理端末５０に出力する。
【０１０３】
つまり、アクセスポイント１０ａは、無線端末によるＳＳＩＤを用いたアクセスに基づき、アクセス情報を生成する手段（接続処理部２２３）を備える。また、アクセスポイント１０ａは、生成されたアクセス情報を記憶し、アクセスログを生成する手段（アクセスログ管理部２２４）を備える。また、アクセスポイント１０ａは、ブロードキャスト送信するＳＳＩＤの文字列を外部端末から入力する手段（ＳＳＩＤ変更部２２５）と、入力した文字列に基づきブロードキャスト送信するＳＳＩＤを変更する手段（ＳＳＩＤ設定部２２１）と、を備える。さらに、アクセスポイント１０ａは、無線ネットワークに接続した端末が利用したＳＳＩＤを含む利用識別子情報を生成し、外部に出力する手段（利用識別子情報管理部２２６）を備える。
【０１０４】
以上のように、アクセスポイント１０ａの内部に管理装置４０の機能を含ませることにより、アクセスポイントと管理端末で完結するシステムが構築可能であり、コンパクト且つコストが抑制されたアンケートシステムが提供できる。
【０１０５】
なお、上記各実施形態の任意の組み合わせが更なる実施形態として含まれる。また、第１〜第４の実施形態にて説明した通信システムや各装置の構成及び動作は例示であって、種々の変形が可能である。
【０１０６】
例えば、通信システムには、マルチＳＳＩＤに非対応なアクセスポイントが含まれていてもよい。また、アクセスポイント１０は小売店等によりＳＳＩＤと、通信事業者によるＳＳＩＤと、に対応したアクセスポイントであってもよい（アクセスポイントは複数の事業者により共有されるものであってもよい）。
【０１０７】
また、上記実施形態では、アクセスポイント１０は、端末にＩＰアドレスを割り当てるＤＨＣＰ（Dynamic Host Configuration Protocol）機能を有するものとして説明したが、ＤＨＣＰ機能はアクセスポイント１０以外の装置（例えば、集約装置２０）に実装されていてもよい。あるいは、図２にて図示しないルータにＤＨＣＰ機能が実装されていてもよい。
【０１０８】
また、通信システムには、ＷＥＢサーバ３０が含まれていなくともよい。即ち、無線端末にインターネット接続を提供する前に利用規約の承諾等を得なくともよい。
【０１０９】
上記実施形態では、管理装置のアンケート結果出力部４１３、４１３ａが、利用識別子情報に対する情報処理（利用識別子情報の解析）を行っているが、集約装置２０にて当該情報処理を行ってもよい。
【０１１０】
上記実施形態では、管理装置４０がシステムに含まれるアクセスポイント１０を制御し、管理することを前提としたが、各アクセスポイント１０に対して専用の管理装置を設置してもよい。
【０１１１】
上記実施形態では、端末に新規なアプリケーション（ソフトウェア）を導入することなく、簡易的なアンケートシステムを構築する場合について説明した。しかし、端末に上記アンケートシステムに対応したアプリケーションを導入（インストール）することで、ユーザにとってより分かり易いシステムを構築することができる。例えば、ユーザが、端末にＷｉ−Ｆｉスポット選択画面を表示させる前に、端末とアクセスポイント１０が事前に情報の授受を行い、Ｗｉ−Ｆｉスポット選択画面として図１６に示すような画面を端末に表示させることが考えられる。図１６では、アンケートの内容を記した質問文（「あなたは男性ですか？それとも女性ですか？」）と、当該質問に対応する回答（「Ｗｏｍｅｎ」、「Ｍｅｎ」）を表示し、端末は、ユーザが選択した回答を使用するＳＳＩＤとしてアクセスポイント１０に送信する。このように、アンケートシステムの実現には、質問文に対して選択肢を表示する形態と、第１の実施形態にて説明したように、ＳＳＩＤの文字列自体が質問となっており、ユーザによる選択により肯定されるＳＳＩＤの文字列を表示する形態と、が考えられる。
【０１１２】
小売店のオーナ等は、複数のアクセスポイント１０に跨がる利用識別子情報の提供を管理装置４０に要求してもよい。例えば、図２に示す通信システムにおいて、アクセスポイント１０−１が小売店Ａに設置され、アクセスポイント１０−２が小売店Ｂに設置されている場合を考える。さらに、小売店Ａと小売店Ｂが同じオーナにより経営されている場合には、小売店Ａ、Ｂのオーナは、アクセスポイント１０−１及び１０−２からブロードキャスト送信されるＳＳＩＤを指定して、利用識別子情報の出力要求を管理装置４０に行っても良い。この場合、複数のアクセスポイントから複数のＳＳＩＤ（複数の選択肢）を送信可能であるため、より実用的な情報が取得可能となる。
【０１１３】
上記実施形態では、アクセスポイント１０は、管理装置４０から入力した文字列をそのままブロードキャスト送信している。しかし、アクセスポイント１０は、入力した文字列の同一性を損なわない範囲にて、入力した文字列を変更し、ブロードキャスト送信してもよい。例えば、図９に示すＷｉ−Ｆｉスポット選択画面において、常に「Ｍｅｎ？」に係るＳＳＩＤが「Ｗｏｍｅｎ？」に係るＳＳＩＤよりも上に表示されていると、ユーザによるＳＳＩＤの選択に偏りがでる可能性がある。具体的には、女性のユーザであっても、上位に表示されている「Ｍｅｎ？」を選択してしまうことが考えられる。そこで、アクセスポイント１０（ＳＳＩＤ設定部２２１）は、管理装置４０から取得したＳＳＩＤの先頭に数字等を付与し、当該付与する数字等を定期的に変更することで端末に表示されるＳＳＩＤの順序を変更してもよい。例えば、アクセスポイント１０は、「０１Ｍｅｎ？」と「０２Ｗｏｍｅｎ？」の組からなるＳＳＩＤを一定時間ブロードキャスト送信した後は、「０１Ｗｏｍｅｎ？」と「０２Ｍｅｎ？」の組からなるＳＳＩＤをブロードキャスト送信する等の対応をしてもよい。即ち、アクセスポイント１０は、管理装置４０から入力した文字列（アンケートの選択肢となるＳＳＩＤ）にプレフィックス（接頭辞）を付し、当該プレフィックスの内容を定期的に変化させ、ブロードキャスト送信してもよい。端末側のＷｉ-Ｆｉスポット画面における仕様が、文字コード順にＳＳＩＤの文字列を表示するものである場合には、上記対応により時間帯によって端末に表示される選択肢（ＳＳＩＤの文字列）の順序が変化し、ＳＳＩＤの表示順に起因するユーザ選択の偏りを小さくすることができる。
【０１１４】
なお、アクセスポイント１０にて、上記ＳＳＩＤの変更に係る対応をした場合には、集約装置２０は、変更前後のＳＳＩＤを同一のものとして扱う等の対応をして、利用識別子情報を作成するのが望ましい。
【０１１５】
各装置（アクセスポイント、集約装置、管理装置）の制御モジュール（制御部、アクセスログ管理部）は、当該装置に搭載されたコンピュータに、そのハードウェアを用いて、上記説明した制御部等の処理を実行させるコンピュータプログラムにより実現することもできる。
【０１１６】
上記の実施形態の一部又は全部は、以下のようにも記載され得るが、以下には限られない。
［形態１］
上述の第１の視点に係る通信システムのとおりである。
［形態２］
前記管理装置は、前記集約装置が前記利用識別子情報を生成する際の条件を指定して前記利用識別子情報の出力を要求する、形態１の通信システム。
［形態３］
前記集約装置は、前記管理装置から提供された条件に適合する前記アクセス情報を前記アクセスログから抽出し、抽出結果を前記利用識別子情報として前記管理装置に出力する、形態２の通信システム。
［形態４］
前記管理装置は、前記集約装置から取得した前記利用識別子情報に対する情報処理を実行し、前記情報処理の結果を外部に出力する、形態１乃至３のいずれか一に記載の通信システム。
［形態５］
前記管理装置は、前記情報処理の結果をウェブサーバ又はディスプレイ装置に出力する、形態４の通信システム。
［形態６］
複数の前記アクセスポイントをさらに含み、
前記複数のアクセスポイントのそれぞれは前記集約装置に接続され、
前記集約装置は、前記複数のアクセスポイントそれぞれが出力する前記アクセス情報を記憶し、前記アクセスログを生成する、形態１乃至５のいずれか一に記載の通信システム。
［形態７］
前記管理装置は、前記集約装置に対し、前記集約装置に接続された複数の前記アクセスポイントのうち、少なくとも２以上のアクセスポイントを指定して、前記指定された２以上のアクセスポイントによる無線ネットワークに接続した端末が利用した前記識別子を含む前記利用識別子情報の出力を要求する、形態６の通信システム。
［形態８］
前記アクセスポイントは、前記管理装置から入力した文字列を変更し、前記変更した文字列をブロードキャスト送信する、形態１乃至７のいずれか一に記載の通信システム。
［形態９］
上述の第２の視点に係る管理装置のとおりである。
［形態１０］
上述の第３の視点に係るアクセスポイントのとおりである。
［形態１１］
上述の第４の視点に係る情報収集方法のとおりである。
［形態１２］
上述の第５の視点に係るプログラムのとおりである。
なお、形態９〜１２は、形態１と同様に、形態２〜８のように展開することが可能である。
【０１１７】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１１８】
１０、１０−１〜１０−ｎ、１０ａ、１１、１０１  アクセスポイント
２０、２０ａ、２１、１０２  集約装置
３０、３１  ＷＥＢサーバ
４０、４０ａ、４０ｂ、１０３  管理装置
５０  管理端末
６０−１、６０−２、６１−１、６１−２  端末
７１  管理サーバ
２０１  通信インターフェイス
２０２  転送部
２０３、４０２  制御部
２０４、３０３、４０３  記憶部
２１１  無線インターフェイス部
２１２  有線インターフェイス部
２２１  ＳＳＩＤ設定部
２２２  無線接続部
２２３  接続処理部
２２４、３０２  アクセスログ管理部
２２５、４１１  ＳＳＩＤ変更部
２２６、４１２  利用識別子情報管理部
３０１、４０１  通信制御部
４１３、４１３ａ  アンケート結果出力部
【図１】
2016190414.tif 000003
【図２】
2016190414.tif 000004
【図３】
2016190414.tif 000005
【図４】
2016190414.tif 000006
【図５】
2016190414.tif 000007
【図６】
2016190414.tif 000008
【図７】
2016190414.tif 000009
【図８】
2016190414.tif 000010
【図９】
2016190414.tif 000011
【図１０】
2016190414.tif 000012
【図１１】
2016190414.tif 000013
【図１２】
2016190414.tif 000014
【図１３】
2016190414.tif 000015
【図１４】
2016190414.tif 000016
【図１５】
2016190414.tif 000017
【図１６】
2016190414.tif 000018
【図１７】
2016190414.tif 000019
【国際調査報告】
2016190414.tif 000020
2016190414.tif 000021
2016190414.tif 000022
2016190414.tif 000023